(57)【要約】【課題】  脂質染色物を眼の刺激なしで除去する際に有効な、コンタクトレンズ洗浄溶液を見出すこと。【解決手段】  本発明は、医療デバイス上の脂質沈着物の形成を防止するか、除去するかまたは減少させるための組成物を提供し、この組成物は、以下：約１８より大きいＨＬＢを有する、２種の非イオン性界面活性剤であって、より大きいＨＬＢを有する非イオン性界面活性剤が、より低いＨＬＢを有する非イオン性界面活性剤の量の、約２倍の量で存在する、非イオン性界面活性剤、を含有する。【選択図】  図１
2005255976.tif 000002
【特許請求の範囲】
【請求項１】
医療デバイス上の脂質沈着物の形成を防止するか、除去するかまたは減少させるための組成物であって、以下：
約１８より大きいＨＬＢを有する、２種の非イオン性界面活性剤であって、より大きいＨＬＢを有する該非イオン性界面活性剤が、より低いＨＬＢを有する該非イオン性界面活性剤の量の、約２倍の量で存在する、非イオン性界面活性剤、
を含有する、組成物。
【請求項２】
医療デバイス上の脂質沈着物の形成を防止するか、除去するかまたは減少させるための組成物であって、以下：
約１８より大きい、等しいＨＬＢを有する、２種の非イオン性界面活性剤であって、より大きい平均分子量を有する該非イオン性界面活性剤が、より低い平均分子量を有する該非イオン性界面活性剤の量の、約２倍の量で存在する、非イオン性界面活性剤、
を含有する、組成物。
【請求項３】
医療デバイス上の脂質沈着物を処理するための組成物であって、以下：
約１８より大きいＨＬＢを有する、２種の非イオン性界面活性剤であって、より大きいＨＬＢを有する該非イオン性界面活性剤が、より低いＨＬＢを有する該非イオン性界面活性剤の量の、約２倍の量で存在し、該界面活性剤が、該医療デバイス上の脂質沈着物を除去するか、減少させるか、または防止するために有効な量で存在する、非イオン性界面活性剤、
を含有する、組成物。
【請求項４】
医療デバイス上の脂質沈着物の形成を防止するか、除去するか、または減少させるための組成物であって、以下：
約１８より大きいＨＬＢを有する、ポロキサミン界面活性剤およびポロキサマー界面活性剤であって、該ポロキサミン界面活性剤が、該ポロキサマー界面活性剤の量の約２倍の量で存在する、界面活性剤、
を含有する、組成物。
【請求項５】
前記医療デバイスが、コンタクトレンズである、請求項１、２、３または４に記載の組成物。
【請求項６】
前記２種の非イオン性界面活性剤が、非イオン性ポリエーテル界面活性剤である、請求項１、２または３に記載の組成物。
【請求項７】
前記２種の非イオン性界面活性剤が、Ｐｌｕｒｏｎｉｃ  Ｆ３８ＴＭ、Ｐｌｕｒｏｎｉｃ  Ｆ６８ＴＭ、Ｐｌｕｒｏｎｉｃ  ６８ＬＦＴＭ、Ｐｌｕｒｏｎｉｃ  Ｆ７７ＴＭ、Ｐｌｕｒｏｎｉｃ  Ｆ８７ＴＭ、Ｐｌｕｒｏｎｉｃ  Ｆ８８ＴＭ、Ｐｌｕｒｏｎｉｃ  Ｆ９８ＴＭ、Ｐｌｕｒｏｎｉｃ  Ｆ１０８ＴＭ、Ｐｌｕｒｏｎｉｃ  Ｆ１２７ＴＭ、Ｐｌｕｒｏｎｉｃ  Ｌ３５ＴＭ、Ｔｅｔｒｏｎｉｃ  ７０７ＴＭ、Ｔｅｔｒｏｎｉｃ  ９０８ＴＭ、Ｔｅｔｒｏｎｉｃ  ９０９ＴＭ、Ｔｅｔｒｏｎｉｃ  １１０７ＴＭ、Ｔｅｔｒｏｎｉｃ  １３０７ＴＭ、およびＴｅｔｒｏｎｉｃ  １５０８ＴＭからなる群より選択される、請求項１、２または３に記載の組成物。
【請求項８】
前記ポロキサミン界面活性剤およびポロキサマー界面活性剤が、Ｐｌｕｒｏｎｉｃ  Ｆ３８ＴＭ、Ｐｌｕｒｏｎｉｃ  Ｆ６８ＴＭ、Ｐｌｕｒｏｎｉｃ  ６８ＬＦＴＭ、Ｐｌｕｒｏｎｉｃ  Ｆ７７ＴＭ、Ｐｌｕｒｏｎｉｃ  Ｆ８７ＴＭ、Ｐｌｕｒｏｎｉｃ  Ｆ８８ＴＭ、Ｐｌｕｒｏｎｉｃ  Ｆ９８ＴＭ、Ｐｌｕｒｏｎｉｃ  Ｆ１０８ＴＭ、Ｐｌｕｒｏｎｉｃ  Ｆ１２７ＴＭ、Ｐｌｕｒｏｎｉｃ  Ｌ３５ＴＭ、Ｔｅｔｒｏｎｉｃ  ７０７ＴＭ、Ｔｅｔｒｏｎｉｃ  ９０８ＴＭ、Ｔｅｔｒｏｎｉｃ  ９０９ＴＭ、Ｔｅｔｒｏｎｉｃ  １１０７ＴＭ、Ｔｅｔｒｏｎｉｃ  １３０７ＴＭ、およびＴｅｔｒｏｎｉｃ  １５０８ＴＭからなる群より選択される、請求項４に記載の組成物。
【請求項９】
前記組成物が、緩衝剤、キレート剤、浸透圧重量モル濃度調整剤、および界面活性剤からなる群より選択される少なくとも１種のメンバーをさらに含有する、請求項１、２、３または４に記載の組成物。
【請求項１０】
前記組成物が、医療デバイスを除染するため、または溶液を保存するために有効な量で存在する、１種以上の抗菌剤をさらに含有する、請求項１、２、３または４に記載の組成物。
【請求項１１】
前記組成物が、約０．１〜約６．０重量％の前記２種の非イオン性界面活性剤、および約０．０５〜約０．５重量％の抗菌剤を含有する、請求項１、２または３に記載の組成物。
【請求項１２】
前記組成物が、約０．１〜約６．０重量％の前記ポロキサミン界面活性剤およびポロキサマー界面活性剤、および約０．０５〜約０．５重量％の抗菌剤を含有する、請求項４に記載の組成物。
【請求項１３】
前記組成物が、キレート剤、ならびにホウ酸緩衝剤、リン酸緩衝剤、およびクエン酸緩衝剤からなる群より選択される緩衝剤をさらに含有する、請求項１、２、３または４に記載の組成物。
【請求項１４】
眼に着用している間の、コンタクトレンズ上への脂質の沈着を防止または減少させる方法であって、該方法は、以下：
眼への配置の前に、該コンタクトレンズを水性組成物に浸漬する工程であって、該水性組成物は、約１８より大きいＨＬＢを有する、２種の非イオン性界面活性剤を含有し、より大きいＨＬＢを有する該非イオン性界面活性剤が、より低いＨＬＢを有する該非イオン性界面活性剤の量の、約２倍の量で存在し、そして該界面活性剤が、眼に着用している間に、該レンズ上への脂質の沈着を防止または減少させるために有効な量で存在する、工程、
を包含する、方法。
【請求項１５】
眼に着用している間の、コンタクトレンズ上への脂質の沈着を防止または減少させる方法であって、該方法は、以下：
眼への配置の前に、該コンタクトレンズを水性組成物に浸漬する工程であって、該水性組成物は、約１８より大きい、等しいＨＬＢを有する、２種の非イオン性界面活性剤を含有し、より大きい平均分子量を有する該非イオン性ポリエーテル界面活性剤が、より低い平均分子量を有する該非イオン性ポリエーテル界面活性剤の量の、約２倍の量で存在し、そして該界面活性剤が、眼に着用している間に、該レンズ上への脂質の沈着を防止または減少させるために有効な量で存在する、工程、
を包含する、方法。
【請求項１６】
眼に着用している間の、コンタクトレンズ上への脂質の沈着を防止または減少させる方法であって、該方法は、以下：
眼に水性組成物を点眼する工程であって、該水性組成物は、約１８より大きいＨＬＢを有する、２種の非イオン性界面活性剤を含有し、より大きいＨＬＢを有する該非イオン性界面活性剤が、より低いＨＬＢを有する該非イオン性界面活性剤の量の、約２倍の量で存在し、そして該界面活性剤が、眼に着用している間に、該レンズ上への脂質の沈着を防止または減少させるために有効な量で存在する、工程、
を包含する、方法。
【請求項１７】
眼に着用している間の、コンタクトレンズ上への脂質の沈着を防止または減少させる方法であって、該方法は、以下：
眼に水性組成物を点眼する工程であって、該水性組成物は、約１８より大きい、等しいＨＬＢを有する、２種の非イオン性界面活性剤を含有し、より大きい平均分子量を有する該非イオン性界面活性剤が、より低い平均分子量を有する該非イオン性界面活性剤の量の、約２倍の量で存在し、そして該界面活性剤が、眼に着用している間に、該レンズ上への脂質の沈着を防止または減少させるために有効な量で存在する、工程、
を包含する、方法。
【請求項１８】
医療デバイス上への脂質沈着物を防止するか、除去するか、または該沈着物の量を減少させる方法であって、該方法は、以下：
医療デバイスを水性組成物に浸漬する工程であって、該水性組成物は、該医療デバイス上への脂質沈着物を防止するか、除去するか、または該沈着物の量を減少させるために有効な量の、約１８より大きいＨＬＢを有する、２種の非イオン性界面活性剤を含有し、より大きいＨＬＢを有する該非イオン性界面活性剤が、より低いＨＬＢを有する該非イオン性界面活性剤の量の、約２倍の量で存在する、工程、
を包含する、方法。
【請求項１９】
医療デバイス上への脂質沈着物を防止するか、除去するか、または該沈着物の量を減少させる方法であって、該方法は、以下：
医療デバイスを水性組成物に浸漬する工程であって、該水性組成物は、該医療デバイス上への脂質沈着物を防止するか、除去するか、または該沈着物の量を減少させるために有効な量の、約１８より大きい等しいＨＬＢを有する、２種の非イオン性界面活性剤を含有し、より大きい平均分子量を有する該非イオン性界面活性剤が、より低い平均分子量を有する該非イオン性界面活性剤の量の、約２倍の量で存在する、工程、
を包含する、方法。
【請求項２０】
医療デバイス上への脂質沈着物を防止するか、除去するか、または該沈着物の量を減少させる方法であって、該方法は、以下：
医療デバイスを水性組成物に浸漬する工程であって、該水性組成物は、約１８より大きいＨＬＢを有する、ポロキサミン界面活性剤およびポロキサマー界面活性剤を含有し、該ポロキサミン界面活性剤が、該ポロキサマー界面活性剤の量の、約２倍の量で存在し、そして該界面活性剤が、該医療デバイスからの脂質沈着物を防止するか、除去するか、または該沈着物の量を減少させるために有効な量で存在する、工程、
を包含する、方法。
【請求項２１】
前記水性組成物が、抗菌剤、緩衝剤、キレート剤、浸透圧重量モル濃度調整剤、および界面活性剤からなる群より選択される少なくとも１つのメンバーを含有する、請求項１４、１５、１６、１７、１８、１９または２０に記載の方法。
【請求項２２】
前記水性組成物が、コンタクトレンズを除染するため、または溶液を保存するために有効な量の抗菌剤を含有する、請求項１４、１５、１６、１７、１８、１９または２０に記載の方法。
【請求項２３】
前記水性組成物が、約０．０５〜約０．５重量％の抗菌剤を含有する、請求項１４、１５、１６、１７、１８、１９または２０に記載の方法。
【請求項２４】
前記水性組成物が、キレート剤、ならびにホウ酸緩衝剤、リン酸緩衝剤、およびクエン酸緩衝剤からなる群より選択される緩衝剤を含有する、請求項１４、１５、１６、１７、１８、１９または２０に記載の方法。
【請求項２５】
コンタクトレンズを洗浄する方法であって、以下：
該コンタクトレンズを水性組成物に浸漬する工程であって、該水性組成物は、約１８より大きいＨＬＢを有する、２種の非イオン性界面活性剤を含有し、より大きいＨＬＢを有する該非イオン性ポリエーテル界面活性剤が、より低いＨＬＢを有する該非イオン性ポリエーテル界面活性剤の量の、約２倍の量で存在し、そして該界面活性剤が、該コンタクトレンズの表面から脂質沈着物を減少または除去するために有効な量で存在する、工程、
を包含する、方法。
【請求項２６】
前記脂質沈着物が、前記コンタクトレンズの表面から、手で擦ることなく減少または除去される、請求項２５に記載の方法。
【請求項２７】
前記コンタクトレンズが、眼への直接の挿入の前に、前記水性組成物でリンスされる、請求項２５に記載の方法。
【請求項２８】
前記水性組成物が、抗菌剤を含有し、そして前記コンタクトレンズが、該水性組成物への浸漬の間に除染される、請求項２５に記載の方法。
【請求項２９】
前記水性組成物が、前記コンタクトレンズを除染するために有効な量で存在する抗菌剤を含有する、請求項２５に記載の方法。
【請求項３０】
前記界面活性剤が、Ｐｌｕｒｏｎｉｃ  Ｆ３８ＴＭ、Ｐｌｕｒｏｎｉｃ  Ｆ６８ＴＭ、Ｐｌｕｒｏｎｉｃ  ６８ＬＦＴＭ、Ｐｌｕｒｏｎｉｃ  Ｆ７７ＴＭ、Ｐｌｕｒｏｎｉｃ  Ｆ８７ＴＭ、Ｐｌｕｒｏｎｉｃ  Ｆ８８ＴＭ、Ｐｌｕｒｏｎｉｃ  Ｆ９８ＴＭ、Ｐｌｕｒｏｎｉｃ  Ｆ１０８ＴＭ、Ｐｌｕｒｏｎｉｃ  Ｆ１２７ＴＭ、Ｐｌｕｒｏｎｉｃ  Ｌ３５ＴＭ、Ｔｅｔｒｏｎｉｃ  ７０７ＴＭ、Ｔｅｔｒｏｎｉｃ  ９０８ＴＭ、Ｔｅｔｒｏｎｉｃ  ９０９ＴＭ、Ｔｅｔｒｏｎｉｃ  １１０７ＴＭ、Ｔｅｔｒｏｎｉｃ  １３０７ＴＭ、およびＴｅｔｒｏｎｉｃ  １５０８ＴＭからなる群より選択される、請求項１４、１５、１６、１７、１８、１９、２０または２５に記載の方法。
【発明の詳細な説明】
【技術分野】
【０００１】
（発明の分野）
本発明は、脂質を可溶化するための、比較的マイルドな組成物に関する。驚くべきことに、Ｔｅｔｒｏｎｉｃ  １１０７ＴＭ（ＢＡＳＦ，Ｍｏｕｎｔ  Ｏｌｉｖｅ，Ｎｅｗ  Ｊｅｒｓｅｙ）およびＰｌｕｒｏｎｉｃ  Ｆ１２７ＴＭ（ＢＡＳＦ）の、約２：１の重量比での、脂質可溶化組成物中での使用が、脂質を可溶化する際に、他の重量比でのこれらの使用よりも有効であることが見出された。Ｔｅｔｒｏｎｉｃ  １１０７ＴＭおよびＰｌｕｒｏｎｉｃ  Ｆ１２７ＴＭを約２：１の重量比で含有する本発明の組成物は、医療適用（例えば、脂質で汚染された身体組織および医療デバイスの洗浄）のために有用である。このようなものは、シリコーンヒドロゲル高Ｄｋレンズを洗浄するために、特に有用である。本発明に基づく処方物は、非常にマイルドであるので、これらの組成物は、インサイチュで、ヒト身体の内部または表面において直接使用され得る。
【背景技術】
【０００２】
（発明の背景）
従来、コンタクトレンズは、水非吸収性コンタクトレンズおよび水吸収性コンタクトレンズに分類されており、そしてハードコンタクトレンズおよびソフトコンタクトレンズに分類されている。ハードコンタクトレンズとソフトコンタクトレンズとの両方が、このレンズが眼に着用されている間に、涙由来の沈着物または脂質の染色を発生させ得る。このような脂質染色物は、着用の間のレンズの快適さの低下を引き起こし得るか、または眼の問題（例えば、ぼやけた視力もしくは角膜の充血）を引き起こし得る。従って、安全かつ快適にコンタクトレンズを毎日使用するために、コンタクトレンズの洗浄処理を適用することが必須である。
【０００３】
コンタクトレンズを効果的に洗浄するために、コンタクトレンズを洗浄するために処方された、１つ以上の染色物に対して洗浄効果または除去効果を有する溶液が、代表的に、使用される。コンタクトレンズを洗浄するために処方される溶液は、その中に、洗浄成分として有用な界面活性剤を含有し得る。非イオン性界面活性剤（例えば、ポリオキシアルキレンブロックコポリマー（例えば、ポリオキシエチレン−ポリオキシプロピレンブロックコポリマーまたはその誘導体））を組み込む、コンタクトレンズ洗浄溶液が、公知である。
【０００４】
しかし、非イオン性界面活性剤を含有する、コンタクトレンズのための洗浄溶液は、眼の刺激を引き起こす危険を有し得る。大きな重要性が、レンズケア溶液の安全性および快適さに認められ、従って、洗浄界面活性剤の濃度が、この溶液中に存在する場合、可能な限り低く維持されることが必要とされる。実験は、眼の不快さまたは刺激を回避するために低濃度の洗浄界面活性剤を含有する、コンタクトレンズのための従来の洗浄溶液が、十分な洗浄力または脂質可溶化力に欠けることを示す。その結果、低濃度の界面活性剤の洗浄溶液を使用する、コンタクトレンズの洗浄処理は、脂質染色物を、コンタクトレンズ上に残留させ、そして蓄積させる傾向があり、これは、眼に対して潜在的に有害である。
【０００５】
特許文献１は、アルキレンオキシド側鎖を有するシリコーンポリマーを含有する、コンタクトレンズケアのための組成物を開示する。このシリコーンポリマー組成物には、良好な洗浄活性を有する非イオン性の表面活性剤（例えば、ポリオキシエチレン、ポリオキシプロピレンブロックコポリマー）が含有される。これらの表面活性剤は、一般に、約１２〜約１８の親水性／親油性バランス（ＨＬＢ）を有し、これは、少なくとも約１８のＨＬＢを有する、主要な洗浄剤として組成物において同様に使用され得る他のポロキサマーと対照的である。
【０００６】
特許文献２は、アミノ酸系のカチオン性界面活性剤、および１８より高いＨＬＢを有する少なくとも１種の非イオン性界面活性剤の組み合わせを含有する、コンタクトレンズのための溶液を開示し、これによって、洗浄力は、アミノ酸系カチオン性界面活性剤または非イオン性界面活性剤のいずれかの独立した使用より相乗的に増加する。
【０００７】
特許文献３は、２０より大きいＨＬＢを有する１種以上のポリマー界面活性剤を含有する、摩擦なしかつリンスなしのコンタクトレンズ洗浄および除染溶液を教示する。
【０００８】
特許文献４は、コンタクトレンズの表面から脂質沈着物を除去するために有効な量の、１２未満のＨＬＢを有する１種以上の非イオン性ポリマー界面活性剤の使用を教示する。
【特許文献１】米国特許第５，５００，１４４号明細書
【特許文献２】米国特許第６，４１７，１４４号明細書
【特許文献３】米国特許出願番号１０／７２４，７９７
【特許文献４】米国特許出願番号１０／７２４，６７９
【発明の開示】
【発明が解決しようとする課題】
【０００９】
上記のように、非イオン性界面活性剤は、コンタクトレンズの洗浄の分野において周知である。しかし、非イオン性界面活性剤の、コンタクトレンズの洗浄のための独立した使用は、低濃度においては、洗浄有効性においてかなりの制限を有するようであり、そして潜在的に、より高濃度においては、眼の刺激を引き起こすことが公知である。従って、脂質染色物を眼の刺激なしで除去する際に有効な、コンタクトレンズ洗浄溶液を見出すことが望ましい。
【課題を解決するための手段】
【００１０】
（発明の要旨）
本発明は、２４の親水性／親油性バランス（ＨＬＢ）を有するＴｅｔｒｏｎｉｃ  １１０７ＴＭ、および２２のＨＬＢを有するＰｌｕｒｏｎｉｃ  Ｆ１２７ＴＭを、２：１の比で、医療デバイス（例えば、コンタクトレンズであるが、これに限定されない）および身体組織上の脂質沈着物を除去し、減少させ、そして／または防止するために有効な量で含有する組成物を提供する。また、脂質沈着物をコンタクトレンズの表面から除去するため、およびこのコンタクトレンズ上のこのような沈着物を防止するかまたはその量を減少させるための方法が、提供される。本発明の１つの方法は、コンタクトレンズを、水性組成物に浸漬する工程を包含し、この水性組成物は、約１８より大きいＨＬＢを各々が有する２種の非イオン性ポリエーテル界面活性剤を含有し、より大きいＨＬＢを有する非イオン性ポリエーテル界面活性剤が、より低いＨＬＢを有する非イオン性ポリエーテル界面活性剤の量の約２倍の量で存在し、これらの界面活性剤は、コンタクトレンズ上での脂質沈着物の形成を減少させるために有用な量で存在する。
【００１１】
本発明の別の方法は、コンタクトレンズを水性組成物に浸漬する工程を包含し、この水性組成物は、約１８より大きいＨＬＢを各々が有する２種の非イオン性ポリエーテル界面活性剤を含有し、より大きいＨＬＢを有する非イオン性ポリエーテル界面活性剤が、より低いＨＬＢを有する非イオン性ポリエーテル界面活性剤の量の約２倍の量で存在し、これらの界面活性剤は、コンタクトレンズの表面から脂質沈着物を除去するために有用な量で存在する。種々の好ましい実施形態に従って、脂質沈着物は、コンタクトレンズの表面から、このレンズを手で擦ることなく、例えば、リンスすることによって、除去され得る。
【００１２】
本発明のなお別の方法は、眼への着用の間の、コンタクトレンズへの脂質の沈着を防止することを包含する。この方法は、コンタクトレンズを水性組成物に浸漬する工程、およびこのコンタクトレンズを、このコンタクトレンズからこの組成物をリンスすることなく眼に挿入する工程、またはこのコンタクトレンズを着用している間に、１滴以上のこの組成物を眼に点眼する工程を包含し、ここで、この組成物は、約１８より大きいＨＬＢを各々が有する２種の非イオン性ポリエーテル界面活性剤を含有し、より大きいＨＬＢを有する非イオン性ポリエーテル界面活性剤が、より低いＨＬＢを有する非イオン性ポリエーテル界面活性剤の量の約２倍の量で存在し、これらの界面活性剤は、眼に装着している間、コンタクトレンズ上での脂質の沈着を防止するために有用な量で存在する。
【００１３】
本発明は、医療デバイス上の脂質沈着物の形成を防止するか、除去するかまたは減少させるための組成物を提供し、この組成物は、以下：
約１８より大きいＨＬＢを有する、２種の非イオン性界面活性剤であって、より大きいＨＬＢを有する非イオン性界面活性剤が、より低いＨＬＢを有する非イオン性界面活性剤の量の、約２倍の量で存在する、非イオン性界面活性剤、
を含有する。
【００１４】
別の局面において、本発明は、医療デバイス上の脂質沈着物の形成を防止するか、除去するかまたは減少させるための組成物を提供し、この組成物は、以下：
約１８より大きい、等しいＨＬＢを有する、２種の非イオン性界面活性剤であって、より大きい平均分子量を有する非イオン性界面活性剤が、より低い平均分子量を有する非イオン性界面活性剤の量の、約２倍の量で存在する、非イオン性界面活性剤、
を含有する。
【００１５】
別の局面において、本発明は、医療デバイス上の脂質沈着物を処理するための組成物を提供し、この組成物は、以下：
約１８より大きいＨＬＢを有する、２種の非イオン性界面活性剤であって、より大きいＨＬＢを有する非イオン性界面活性剤が、より低いＨＬＢを有する非イオン性界面活性剤の量の、約２倍の量で存在し、界面活性剤が、医療デバイス上の脂質沈着物を除去するか、減少させるか、または防止するために有効な量で存在する、非イオン性界面活性剤、
を含有する。
【００１６】
別の局面において、本発明は、医療デバイス上の脂質沈着物の形成を防止するか、除去するか、または減少させるための組成物を提供し、この組成物は、以下：
約１８より大きいＨＬＢを有する、ポロキサミン界面活性剤およびポロキサマー界面活性剤であって、ポロキサミン界面活性剤が、ポロキサマー界面活性剤の量の約２倍の量で存在する、界面活性剤、
を含有する。
【００１７】
１つの実施形態において、上記医療デバイスは、コンタクトレンズである。
【００１８】
１つの実施形態において、上記２種の非イオン性界面活性剤は、非イオン性ポリエーテル界面活性剤である。
【００１９】
１つの実施形態において、上記２種の非イオン性界面活性剤は、Ｐｌｕｒｏｎｉｃ  Ｆ３８ＴＭ、Ｐｌｕｒｏｎｉｃ  Ｆ６８ＴＭ、Ｐｌｕｒｏｎｉｃ  ６８ＬＦＴＭ、Ｐｌｕｒｏｎｉｃ  Ｆ７７ＴＭ、Ｐｌｕｒｏｎｉｃ  Ｆ８７ＴＭ、Ｐｌｕｒｏｎｉｃ  Ｆ８８ＴＭ、Ｐｌｕｒｏｎｉｃ  Ｆ９８ＴＭ、Ｐｌｕｒｏｎｉｃ  Ｆ１０８ＴＭ、Ｐｌｕｒｏｎｉｃ  Ｆ１２７ＴＭ、Ｐｌｕｒｏｎｉｃ  Ｌ３５ＴＭ、Ｔｅｔｒｏｎｉｃ  ７０７ＴＭ、Ｔｅｔｒｏｎｉｃ  ９０８ＴＭ、Ｔｅｔｒｏｎｉｃ  ９０９ＴＭ、Ｔｅｔｒｏｎｉｃ  １１０７ＴＭ、Ｔｅｔｒｏｎｉｃ  １３０７ＴＭ、およびＴｅｔｒｏｎｉｃ  １５０８ＴＭからなる群より選択される。
【００２０】
１つの実施形態において、上記ポロキサミン界面活性剤およびポロキサマー界面活性剤は、Ｐｌｕｒｏｎｉｃ  Ｆ３８ＴＭ、Ｐｌｕｒｏｎｉｃ  Ｆ６８ＴＭ、Ｐｌｕｒｏｎｉｃ  ６８ＬＦＴＭ、Ｐｌｕｒｏｎｉｃ  Ｆ７７ＴＭ、Ｐｌｕｒｏｎｉｃ  Ｆ８７ＴＭ、Ｐｌｕｒｏｎｉｃ  Ｆ８８ＴＭ、Ｐｌｕｒｏｎｉｃ  Ｆ９８ＴＭ、Ｐｌｕｒｏｎｉｃ  Ｆ１０８ＴＭ、Ｐｌｕｒｏｎｉｃ  Ｆ１２７ＴＭ、Ｐｌｕｒｏｎｉｃ  Ｌ３５ＴＭ、Ｔｅｔｒｏｎｉｃ  ７０７ＴＭ、Ｔｅｔｒｏｎｉｃ  ９０８ＴＭ、Ｔｅｔｒｏｎｉｃ  ９０９ＴＭ、Ｔｅｔｒｏｎｉｃ  １１０７ＴＭ、Ｔｅｔｒｏｎｉｃ  １３０７ＴＭ、およびＴｅｔｒｏｎｉｃ  １５０８ＴＭからなる群より選択される。
【００２１】
１つの実施形態において、上記組成物は、緩衝剤、キレート剤、浸透圧重量モル濃度調整剤、および界面活性剤からなる群より選択される少なくとも１種のメンバーをさらに含有する。
【００２２】
１つの実施形態において、上記組成物は、医療デバイスを除染するため、または溶液を保存するために有効な量で存在する、１種以上の抗菌剤をさらに含有する。
【００２３】
１つの実施形態において、上記組成物は、約０．１〜約６．０重量％の上記２種の非イオン性界面活性剤、および約０．０５〜約０．５重量％の抗菌剤を含有する。
【００２４】
１つの実施形態において、上記組成物は、約０．１〜約６．０重量％の上記ポロキサミン界面活性剤およびポロキサマー界面活性剤、および約０．０５〜約０．５重量％の抗菌剤を含有する。
【００２５】
１つの実施形態において、上記組成物は、キレート剤、ならびにホウ酸緩衝剤、リン酸緩衝剤、およびクエン酸緩衝剤からなる群より選択される緩衝剤をさらに含有する。
【００２６】
別の局面において、本発明は、眼に着用している間の、コンタクトレンズ上への脂質の沈着を防止または減少させる方法を提供し、この方法は、以下：
眼への配置の前に、コンタクトレンズを水性組成物に浸漬する工程であって、この水性組成物は、約１８より大きいＨＬＢを有する、２種の非イオン性界面活性剤を含有し、より大きいＨＬＢを有する非イオン性界面活性剤が、より低いＨＬＢを有する非イオン性界面活性剤の量の、約２倍の量で存在し、そして界面活性剤が、眼に着用している間に、レンズ上への脂質の沈着を防止または減少させるために有効な量で存在する、工程、
を包含する。
【００２７】
別の局面において、本発明は、眼に着用している間の、コンタクトレンズ上への脂質の沈着を防止または減少させる方法を提供し、この方法は、以下：
眼への配置の前に、コンタクトレンズを水性組成物に浸漬する工程であって、この水性組成物は、約１８より大きい、等しいＨＬＢを有する、２種の非イオン性界面活性剤を含有し、より大きい平均分子量を有する非イオン性ポリエーテル界面活性剤が、より低い平均分子量を有する非イオン性ポリエーテル界面活性剤の量の、約２倍の量で存在し、そして界面活性剤が、眼に着用している間に、レンズ上への脂質の沈着を防止または減少させるために有効な量で存在する、工程、
を包含する。
【００２８】
別の局面において、本発明は、眼に着用している間の、コンタクトレンズ上への脂質の沈着を防止または減少させる方法を提供し、この方法は、以下：
眼に水性組成物を点眼する工程であって、この水性組成物は、約１８より大きいＨＬＢを有する、２種の非イオン性界面活性剤を含有し、より大きいＨＬＢを有する非イオン性界面活性剤が、より低いＨＬＢを有する非イオン性界面活性剤の量の、約２倍の量で存在し、そして界面活性剤が、眼に着用している間に、レンズ上への脂質の沈着を防止または減少させるために有効な量で存在する、工程、
を包含する。
【００２９】
別の局面において、本発明は、眼に着用している間の、コンタクトレンズ上への脂質の沈着を防止または減少させる方法において使用するための組成物を提供し、この方法は、以下：
眼に水性組成物を点眼する工程であって、この水性組成物は、約１８より大きいＨＬＢを有する、２種の非イオン性界面活性剤を含有し、より大きいＨＬＢを有する非イオン性界面活性剤が、より低いＨＬＢを有する非イオン性界面活性剤の量の、約２倍の量で存在し、そして界面活性剤が、眼に着用している間に、レンズ上への脂質の沈着を防止または減少させるために有効な量で存在する、工程、
を包含する。
【００３０】
別の局面において、本発明は、眼に着用している間の、コンタクトレンズ上への脂質の沈着を防止または減少させる方法を提供し、この方法は、以下：
眼に水性組成物を点眼する工程であって、この水性組成物は、約１８より大きい、等しいＨＬＢを有する、２種の非イオン性界面活性剤を含有し、より大きい平均分子量を有する非イオン性界面活性剤が、より低い平均分子量を有する非イオン性界面活性剤の量の、約２倍の量で存在し、そして界面活性剤が、眼に着用している間に、レンズ上への脂質の沈着を防止または減少させるために有効な量で存在する、工程、
を包含する。
【００３１】
別の局面において、本発明は、眼に着用している間の、コンタクトレンズ上への脂質の沈着を防止または減少させる方法において使用するための組成物を提供し、この方法は、以下：
眼に水性組成物を点眼する工程であって、この水性組成物は、約１８より大きい、等しいＨＬＢを有する、２種の非イオン性界面活性剤を含有し、より大きい平均分子量を有する非イオン性界面活性剤が、より低い平均分子量を有する非イオン性界面活性剤の量の、約２倍の量で存在し、そして界面活性剤が、眼に着用している間に、レンズ上への脂質の沈着を防止または減少させるために有効な量で存在する、工程、
を包含する。
【００３２】
別の局面において、本発明は、医療デバイス上への脂質沈着物を防止するか、除去するか、または沈着物の量を減少させる方法を提供し、この方法は、以下：
医療デバイスを水性組成物に浸漬する工程であって、この水性組成物は、医療デバイス上への脂質沈着物を防止するか、除去するか、または沈着物の量を減少させるために有効な量の、約１８より大きいＨＬＢを有する、２種の非イオン性界面活性剤を含有し、より大きいＨＬＢを有する非イオン性界面活性剤が、より低いＨＬＢを有する非イオン性界面活性剤の量の、約２倍の量で存在する、工程、
を包含する。
【００３３】
別の局面において、本発明は、医療デバイス上への脂質沈着物を防止するか、除去するか、または沈着物の量を減少させる方法を提供し、この方法は、以下：
医療デバイスを水性組成物に浸漬する工程であって、この水性組成物は、医療デバイス上への脂質沈着物を防止するか、除去するか、または沈着物の量を減少させるために有効な量の、約１８より大きい等しいＨＬＢを有する、２種の非イオン性界面活性剤を含有し、より大きい平均分子量を有する非イオン性界面活性剤が、より低い平均分子量を有する非イオン性界面活性剤の量の、約２倍の量で存在する、工程、
を包含する。
【００３４】
別の局面において、本発明は、医療デバイス上への脂質沈着物を防止するか、除去するか、または沈着物の量を減少させる方法を提供し、この方法は、以下：
医療デバイスを水性組成物に浸漬する工程であって、この水性組成物は、約１８より大きいＨＬＢを有する、ポロキサミン界面活性剤およびポロキサマー界面活性剤を含有し、ポロキサミン界面活性剤が、ポロキサマー界面活性剤の量の、約２倍の量で存在し、そして界面活性剤が、医療デバイスからの脂質沈着物を防止するか、除去するか、または沈着物の量を減少させるために有効な量で存在する、工程、
を包含する。
【００３５】
１つの実施形態において、上記水性組成物は、抗菌剤、緩衝剤、キレート剤、浸透圧重量モル濃度調整剤、および界面活性剤からなる群より選択される少なくとも１つのメンバーを含有する。
【００３６】
１つの実施形態において、上記水性組成物は、コンタクトレンズを除染するため、または溶液を保存するために有効な量の抗菌剤を含有する。
【００３７】
１つの実施形態において、上記水性組成物は、約０．０５〜約０．５重量％の抗菌剤を含有する。
【００３８】
１つの実施形態において、上記水性組成物は、キレート剤、ならびにホウ酸緩衝剤、リン酸緩衝剤、およびクエン酸緩衝剤からなる群より選択される緩衝剤を含有する。
【００３９】
別の局面において、本発明は、コンタクトレンズを洗浄する方法を提供し、この方法は、以下：
このコンタクトレンズを水性組成物に浸漬する工程であって、この水性組成物は、約１８より大きいＨＬＢを有する、２種の非イオン性界面活性剤を含有し、より大きいＨＬＢを有する非イオン性ポリエーテル界面活性剤が、より低いＨＬＢを有する非イオン性ポリエーテル界面活性剤の量の、約２倍の量で存在し、そして界面活性剤が、コンタクトレンズの表面から脂質沈着物を減少または除去するために有効な量で存在する、工程、
を包含する。
【００４０】
１つの実施形態において、上記脂質沈着物は、上記コンタクトレンズの表面から、手で擦ることなく減少または除去される。
【００４１】
１つの実施形態において、上記コンタクトレンズは、眼への直接の挿入の前に、上記水性組成物でリンスされる。
【００４２】
１つの実施形態において、上記水性組成物は、抗菌剤を含有し、そして上記コンタクトレンズが、水性組成物への浸漬の間に除染される。
【００４３】
１つの実施形態において、上記水性組成物は、上記コンタクトレンズを除染するために有効な量で存在する抗菌剤を含有する。
【００４４】
１つの実施形態において、上記界面活性剤は、Ｐｌｕｒｏｎｉｃ  Ｆ３８ＴＭ、Ｐｌｕｒｏｎｉｃ  Ｆ６８ＴＭ、Ｐｌｕｒｏｎｉｃ  ６８ＬＦＴＭ、Ｐｌｕｒｏｎｉｃ  Ｆ７７ＴＭ、Ｐｌｕｒｏｎｉｃ  Ｆ８７ＴＭ、Ｐｌｕｒｏｎｉｃ  Ｆ８８ＴＭ、Ｐｌｕｒｏｎｉｃ  Ｆ９８ＴＭ、Ｐｌｕｒｏｎｉｃ  Ｆ１０８ＴＭ、Ｐｌｕｒｏｎｉｃ  Ｆ１２７ＴＭ、Ｐｌｕｒｏｎｉｃ  Ｌ３５ＴＭ、Ｔｅｔｒｏｎｉｃ  ７０７ＴＭ、Ｔｅｔｒｏｎｉｃ  ９０８ＴＭ、Ｔｅｔｒｏｎｉｃ  ９０９ＴＭ、Ｔｅｔｒｏｎｉｃ  １１０７ＴＭ、Ｔｅｔｒｏｎｉｃ  １３０７ＴＭ、およびＴｅｔｒｏｎｉｃ  １５０８ＴＭからなる群より選択される。
【００４５】
約１８より大きいＨＬＢを有する非イオン性界面活性剤を、より大きいＨＬＢを有する非イオン性界面活性剤と共に利用する、コンタクトレンズを洗浄するための組成物および方法であって、このより大きいＨＬＢを有する非イオン性界面活性剤は、より低いＨＬＢを有する非イオン性界面活性剤の量の２倍の量で存在し、そしてコンタクトレンズ上の脂質の量を減少させるために効果的な量で提供され、これによって、コンタクトレンズの洗浄をより容易にする。さらに、コンタクトレンズを眼に挿入する前に、この組成物中にこのレンズを浸漬することによって、この組成物は、このコンタクトレンズが着用されている間に脂質の沈着を防止する、予防効果を提供する。
【００４６】
（発明の詳細な説明）
本発明の組成物は、全てのコンタクトレンズ（例えば、従来のハード、ソフト、剛性および柔軟な、気体透過性のレンズ、ならびにシリコーン（ヒドロゲルと非ヒドロゲルとの両方を含む）レンズとともに使用され得るが、好ましくは、ソフトヒドロゲルレンズとともに利用される。このようなレンズは、通常、親水性モノマー（例えば、２−ヒドロキシエチル（メタ）アクリレート、Ｎ−ビニルピロリドン、グリセロール（メタ）アクリレート、および（メタ）アクリル酸）から調製される。シリコーンヒドロゲルレンズの場合、シリコーン含有モノマーが、少なくとも１種の親水性モノマーと共重合される。このようなレンズは、有意な量の水（代表的に、１０〜８０重量％、そして特に、２０〜７０重量％の水）を吸収する。
【００４７】
本発明において使用される組成物は、水溶液である。この組成物は、必須成分として、１８より大きいＨＬＢを有する２種の異なる非イオン性ポリエーテル界面活性剤を、約２：１のより高いＨＬＢ界面活性剤対より低いＨＬＢ界面活性剤の重量比で含有する。両方の界面活性剤が同じＨＬＢを有する場合、好ましくは、より高い分子量の界面活性剤対より低い分子量の界面活性剤の重量比は、約２：１の比である。多くの非イオン性ポリエーテル界面活性剤は、オキシアルキレン（−Ｏ−Ｒ−）の繰り返し単位を有する１つ以上の鎖またはポリマー成分を含み、ここで、Ｒは、２〜６個の炭素原子を有する。代表的な非イオン性ポリエーテル界面活性剤は、２つ以上の異なる種類のオキシアルキレン繰り返し単位のブロックポリマーを含み、これらの単位の比が、この界面活性剤のＨＬＢを決定する。このようなポロキサマーの例は、ポリオキシエチレン（ＰｌｕｒｏｎｉｃＴＭの商標で入手可能なポリオキシプロピレンブロックコポリマー（ＢＡＳＦ））である。ポロキサミンは、このようなポリオキシエチレンのエチレンジアミン付加体（ＴｅｔｒｏｎｉｃＴＭの商標で入手可能なポリオキシプロピレンブロックコポリマー（ＢＡＳＦ））であり、例えば、約７，５００〜約２７，０００の分子量を有するポロキサミン１１０７（Ｔｅｔｒｏｎｉｃ  １１０７ＴＭ）が挙げられ、この付加体の少なくとも４０重量％は、２４のＨＬＢを有するポリ（オキシエチレン）である。本発明の組成物において使用するために適切な非イオン性ポリエーテル界面活性剤としては、例えば、３１のＨＬＢおよび４７００の平均分子量（ＡＭＷ）を有するＰｌｕｒｏｎｉｃ  Ｆ３８ＴＭ（ＢＡＳＦ）、２９のＨＬＢおよび８４００のＡＭＷを有するＰｌｕｒｏｎｉｃ  Ｆ６８ＴＭ（ＢＡＳＦ）、２６のＨＬＢおよび７７００のＡＭＷを有するＰｌｕｒｏｎｉｃ  ６８ＬＦＴＭ（ＢＡＳＦ）、２５のＨＬＢおよび６６００のＡＭＷを有するＰｌｕｒｏｎｉｃ  Ｆ７７ＴＭ（ＢＡＳＦ）、２４のＨＬＢおよび７７００のＡＭＷを有するＰｌｕｒｏｎｉｃ  Ｆ８７ＴＭ（ＢＡＳＦ）、２８のＨＬＢおよび１１４００のＡＭＷを有するＰｌｕｒｏｎｉｃ  Ｆ８８ＴＭ（ＢＡＳＦ）、２８のＨＬＢおよび１３０００のＡＭＷを有するＰｌｕｒｏｎｉｃ  Ｆ９８ＴＭ（ＢＡＳＦ）、２７のＨＬＢおよび１４６００のＡＭＷを有するＰｌｕｒｏｎｉｃ  Ｆ１０８ＴＭ（ＢＡＳＦ）、２２のＨＬＢおよび１２６００のＡＭＷを有するＰｌｕｒｏｎｉｃ  Ｆ１２７ＴＭ（ＢＡＳＦ）、１９のＨＬＢおよび１９００のＡＭＷを有するＰｌｕｒｏｎｉｃ  Ｌ３５ＴＭ（ＢＡＳＦ）、２７のＨＬＢおよび１２２００のＡＭＷを有するＴｅｔｒｏｎｉｃ  ７０７ＴＭ（ＢＡＳＦ）、３１のＨＬＢおよび２５０００のＡＭＷを有するＴｅｔｒｏｎｉｃ  ９０８ＴＭ（ＢＡＳＦ）、３２のＨＬＢおよび３００００のＡＭＷを有するＴｅｔｒｏｎｉｃ  ９０９ＴＭ（ＢＡＳＦ）、２４のＨＬＢおよび１５０００のＡＭＷを有するＴｅｔｒｏｎｉｃ  １１０７ＴＭ（ＢＡＳＦ）、２４のＨＬＢおよび１８０００のＡＭＷを有するＴｅｔｒｏｎｉｃ  １３０７ＴＭ（ＢＡＳＦ）、および２７のＨＬＢおよび３００００のＡＭＷを有するＴｅｔｒｏｎｉｃ  １５０８ＴＭ（ＢＡＳＦ）が挙げられる��、これらに限定されない。
【００４８】
比較的高いＨＬＢの値（約１８より大きいか、またはなおより好ましくは、２２以上）は、疎水性分子および／または表面（例えば、脂質および親水性分子）の両方に対する、より低い親和性を示す。上記のような、約２：１の比で組み合わせて用いられる比較的高いＨＬＢの非イオン性ポリエーテル界面活性剤は、図１および２に示されるように、この界面活性剤の、コンタクトレンズの表面に対する脂質親和性を有意に低下させることが見出されており、そして、脂質を、コンタクトレンズの表面から、機械的洗浄または指での洗浄なしで除去する際に効果的である。このような非イオン性ポリエーテル界面活性剤は、好ましくは、本発明の組成物において、活性洗浄効力の約０．１〜約６．０重量％、より好ましくは、約０．２〜約５．０重量％の範囲の、全体を組み合わせた量で使用される。
【００４９】
本発明の種々の好ましい実施形態に従って、本発明の組成物は、同様に、その中に浸漬されるコンタクトレンズを除染するために適切である。水に加えて、本発明の組成物はまた、少なくとも１種の抗菌剤、特に、非酸化性の抗菌剤（これは、その抗菌活性を、生物体との化学的相互作用または物理化学的相互作用を介して送達する）を含有することが好ましい。この組成物で処理されたコンタクトレンズが、眼に直接挿入され得るように、すなわち、このコンタクトレンズを別の組成物でリンスすることなく挿入し得るように、この抗菌剤は、眼科的に受容可能な抗菌剤であることが必要である。
【００５０】
本発明において使用するために適切な抗菌剤としては、有意な疎水性部分（例えば、６個より多い炭素原子を含むアルキル鎖）を含まない四級アンモニウム塩が挙げられる。本発明において使用するために適切な四級アンモニウム塩としては、例えば、ポリ［（ジメチルイミノ）−２−ブテン−１，４−ジイルクロリド］および［４−トリス（２−ヒドロキシエチル）アンモニオ］−２−ブテニル−ω−［トリス（２−ヒドロキシエチル）アンモニオ］ジクロリド（Ｃｈｅｍｉｃａｌ  Ａｂｓｔｒａｃｔｓ  Ｒｅｇｉｓｔｒｙ  Ｎｕｍｂｅｒ  ７５３４５−２７−６）（一般にＰｏｌｙｑｕａｎｔｅｒｎｉｕｍ  １（Ｏｎｙｘ  Ｃｏｒｐｏｒａｔｉｏｎ，Ｍｏｎｔｐｅｌｉｅｒ，Ｖｅｒｍｏｎｔ）として入手可能）が挙げられるが、これらに限定されない。また、ビグアナイドおよびその塩（例えば、１，１’−ヘキサメチレン−ビス［５−（２−エチルヘキシル）ビグアナイド］（Ａｌｅｘｉｄｉｎｅ）およびポリ（ヘキサメチレンビグアナイド）（ＰＨＭＢ）（ＩＣＩ  Ａｍｅｒｉｃａｓ，Ｉｎｃ．，Ｗｉｌｍｉｎｇｔｏｎ  Ｄｅｌａｗａｒｅから、Ｃｏｓｍｏｃｉｌ  ＣＱの商標で入手可能）、塩化ベンザルコニウム（ＢＡＫ）およびソルビン酸が適切である。
【００５１】
１種以上の抗菌剤が、本発明の組成物中に、従来のレンズの浸漬および除染の溶液において見られるようなコンタクトレンズの除染のために有効な量で存在する。好ましくは、抗菌剤は、除染量、または約０．０００１〜約０．５重量／体積％の量で使用される。抗菌剤の除染量とは、使用される処方物中の微生物集団を少なくとも部分的に減少させる量である。好ましくは、除染量は、４時間で２ｌｏｇのオーダーで微生物負荷を減少させる量、そしてより好ましくは、１時間で１ｌｏｇのオーダーで微生物負荷を減少させる量である。最も好ましくは、除染料は、推奨される浸漬時間についてのレジメン（ＦＤＡ  Ｃｈｅｍｉｃａｌ  Ｄｉｓｉｎｆｅｃｔｉｏｎ  Ｅｆｆｉｃａｃｙ  Ｔｅｓｔ−Ｊｕｌｙ，１９８５  Ｃｏｎｔａｃｔ  Ｌｅｎｓ  Ｓｏｌｕｔｉｏｎ  Ｄｒａｆｔ  Ｇｕｉｄｅｌｉｎｅｓ）において使用される場合、コンタクトレンズ上の微生物負荷を排除する量である。代表的に、このような薬剤は、体積に基づいて約０．００００１〜約０．５重量％（ｗ／ｖ）の範囲の濃度、より好ましくは、約０．００００３〜約０．０５重量％（ｗ／ｖ）の範囲の濃度で存在する。
【００５２】
本発明の組成物はまた、種々の他の成分を含有し得、この成分としては、例えば、一種以上のキレート剤および／または金属イオン封鎖剤、一種以上の浸透圧重量モル濃度調整剤、一種以上の界面活性剤、一種以上の緩衝剤、および／または一種以上の湿潤剤が挙げられるが、これらに限定されない。  
【００５３】
キレート剤（金属イオン封止剤ともまた称される）は、頻繁に、抗菌剤と組み合わせて使用される。これらの薬剤は、重金属イオンを結合し得る。重金属イオンは、結合されない場合、レンズおよび／またはこのレンズ上のタンパク質沈着物と反応し得、そしてレンズ上に集まり得る。キレート剤は、当該分野において周知であり、そして好ましいキレート剤の例としては、エチレンジアミン四酢酸（ＥＤＴＡ）およびその塩（特に、ＥＤＴＡ二ナトリウム）が挙げられる。このような薬剤は、通常、約０．０１〜約２．０重量％、より好ましくは、約０．０１〜約０．３重量％の量で使用される。他の適切な金属イオン封止剤としては、グルコン酸、クエン酸、酒石酸、およびこれらの塩（例えば、ナトリウム塩）が挙げられる。
【００５４】
本発明の組成物は、種々のモル浸透圧について設計され得るが、この組成物は、眼の流体と等張性であることが好ましい。具体的には、この組成物は、約３５０ｍＯｓｍ／ｋｇ未満、より好ましくは、約１７５から約３３０ｍＯｓｍ／ｋｇ、そして最も好ましくは、約２６０から約３１０ｍＯｓｍ／ｋｇの浸透圧値を有することが好ましい。一種以上の浸透圧重量モル濃度調整剤が、所望の最終浸透圧重量モル濃度を得るために、組成物中で使用され得る。適切な浸透圧重量モル濃度調整剤の例としては、塩化ナトリウムおよび塩化カリウム、単糖類（例えば、ブドウ糖）、塩化カルシウムおよび塩化マグネシウム、ならびに低分子量ポリオール（例えば、グリセリンおよびプロピレングリコール）が挙げられるが、これらに限定されない。代表的に、これらの薬剤は、個々に、約０．０１〜５重量％の範囲の量、そして好ましくは約０．１〜約２重量％の範囲の量で使用される。
【００５５】
本発明の組成物は、眼に適合性のｐＨを有し、これは一般に、約６〜８の間の範囲であり、そしてより好ましくは、６．５〜７．８の間の範囲であり、そして最も好ましくは、約７〜７．５の間の範囲である。一種以上の従来の緩衝剤が、所望のｐＨ値を得るために使用され得る。適切な緩衝剤としては、例えば、ホウ酸および／またはホウ酸ナトリウムに基づくホウ酸緩衝剤、Ｎａ２ＨＰＯ４、ＮａＨ２ＰＯ４および／またはＫＨ２ＰＯ４に基づくリン酸緩衝剤、クエン酸ナトリウムもしくはクエン酸カリウムおよび／またはクエン酸に基づくクエン酸緩衝剤、重炭酸ナトリウム、アミノアルコール緩衝剤、ならびにこれらの組み合わせが挙げられるが、これらに限定されない。一般に、緩衝剤は、約０．０５〜約２．５重量％の範囲の量、そして好ましくは、約０．１〜約１．５重量％の範囲の量で使用される。
【００５６】
本発明の組成物は、同様に、湿潤剤（ｗｅｔｔｉｎｇ  ａｇｅｎｔ）を含有して、この組成物がコンタクトレンズの表面を湿潤させることを容易にし得る。当該分野において、用語「湿潤剤（ｈｕｍｅｃｔａｎｔ）」もまた、これらの物質を記載するために通常使用される。湿潤剤の第一のクラスは、ポリマー湿潤剤である。適切な湿潤剤の例としては、例えば、ポリ（ビニルアルコール）（ＰＶＡ）、ポリ（Ｎ−ビニルピロリドン）（ＰＶＰ）、セルロース誘導体およびポリ（エチレングリコール）が挙げられるが、これらに限定されない。セルロース誘導体およびＰＶＡはまた、組成物の粘度を増加させるために使用され得、そして所望であれば、この利点を与える。特定のセルロース誘導体としては、例えば、ヒドロキシプロピルメチルセルロース、カルボキシメチルセルロース、メチルセルロース、ヒドロキシエチルセルロース、およびカチオン性セルロース誘導体が挙げられるが、これらに限定されない。米国特許第６，２７４，１３３号に開示されるように、カチオン性セルロースポリマーはまた、親水性レンズ表面への脂質およびタンパク質の蓄積の防止を補助する。このようなカチオン性セルロースポリマーとしては、例えば、ＣＴＦＡ（Ｃｏｓｍｅｔｉｃ，Ｔｏｉｌｅｔｒｙ，ａｎｄ  Ｆｒａｇｒａｎｃｅ  Ａｓｓｏｃｉａｔｉｏｎ）の指定のＰｏｌｙｑｕａｔｅｒｎｉｕｍ−１０（ＵＣＡＲＥ（登録商標）ポリマーの商標でＡｍｅｒｃｈｏｌ  Ｃｏｒｐ．，Ｅｄｉｓｏｎ，Ｎｅｗ  Ｊｅｒｓｅｙから入手可能なカチオン性セルロースポリマー（例えば、Ｐｏｌｙｍｅｒ  ＪＲＴＭが挙げられるが、これらに限定されない）が挙げられる）で市販されている水溶性ポリマーが挙げられるが、これらに限定されない。一般に、これらのカチオン性セルロースポリマーは、セルソース性ポリマー鎖に沿った四級化Ｎ，Ｎ−ジメチルアミノ基を含む。
【００５７】
別の適切なクラスの湿潤剤は、非ポリマー湿潤剤である。例としては、グリセリン、プロピレングリコール、ならびに他の非ポリマージオールおよびグリコールが挙げられる。
【００５８】
本発明において使用される湿潤剤の特定の量は、適用に依存して変動する。しかし、湿潤剤は、代表的に、約０．０１〜約５重量％の量、好ましくは、約０．１〜約２重量％の量で含有される。
【００５９】
いくつかの成分は、１つより多くの機能的寄与を有することが理解される。例えば、セルロース誘導体は、適切なポリマー湿潤剤であるが、所望であれば、組成物の粘度を増加させるための「増粘剤」ともまた称される。グリセリンは、適切な非ポリマー湿潤剤であるが、張度を調整するためにもまた寄与し得る。
【００６０】
本発明の組成物はまた、一種以上の眼に受容可能な界面活性剤を含有し得、これは、カチオン性、アニオン性、非イオン性、または両性のいずれかであり得る。好ましい界面活性剤は、両性または非イオン性の界面活性剤である。界面活性剤は、水溶液中に可溶性であり、かつ眼の組織に対して非刺激性であるべきである。界面活性剤は、主として、コンタクトレンズ上の非タンパク質性物質の除去を容易にする。
【００６１】
適切な非イオン性界面活性剤としては、例えば、脂肪酸のポリエチレングリコールエステル（例えば、ヤシ油）、ポリソルベート、高級アルカン（Ｃ１２〜Ｃ１８）のポリオキシエチレンエーテルまたはポリオキシプロピレンエーテル、Ｔｗｅｅｎ（登録商標）２０の商標で入手可能なポリソルベート２０（ＩＣＩ  Ａｍｅｒｉｃａｓ，Ｉｎｃ．，Ｗｉｌｍｉｎｇｔｏｎ，Ｄｅｌａｗａｒｅ）、Ｂｒｉｊ（登録商標）３５の商標で入手可能なポリオキシエチレン（２３）ラウリルエーテル（ＩＣＩ  Ａｍｅｒｉｃａｓ，Ｉｎｃ．）、Ｍｙｒｊ（登録商標）５２の商標で入手可能なポリオキシエチレン（４０）ステアレート（ＩＣＩ  Ａｍｅｒｉｃａｓ，Ｉｎｃ．）、およびＡｔｌａｓ（登録商標）Ｇ２６１２の商標で入手可能なポリオキシエチレン（２５）ポリエチレングリコールステアレート（ＩＣＩ  Ａｍｅｒｉｃａｓ，Ｉｎｃ．）が挙げられるが、これらに限定されない。
【００６２】
別の有用なクラスの洗浄剤は、ヒドロキシアルキルホスホネート（例えば、米国特許第５，８５８，９３７号（Ｒｉｃｈａｒｄｓら）に開示されており、そしてＤｅｑｕｅｓｔ（登録商標）の商標で入手可能なもの（Ｍｏｎｓａｎｔｏ  Ｃｏ．，Ｓｔ．Ｌｏｕｉｓ，Ｍｉｓｓｏｕｒｉ））である。
【００６３】
本発明による組成物において使用するために適切な両性界面活性剤としては、ＭｉｒａｎｏｌＴＭの商標で市販される型の材料（Ｎｏｖｅｏｎ，Ｉｎｃ．，Ｃｌｅｖｅｌａｎｄ，Ｏｈｉｏ）が挙げられる。別の有用なクラスの両性界面活性剤は、ココアミドプロピルベタイン（種々の供給源から市販されている）によって例示される。
【００６４】
本発明において使用するために適切な、種々の他のイオン性界面活性剤ならびに両性界面活性剤およびアニオン性界面活性剤は、以前の記載を考慮して、ＭｃＣｕｔｃｈｅｏｎ’ｓ  Ｄｅｔｅｒｇｅｎｔｓ  ａｎｄ  Ｅｍｕｌｓｉｆｉｅｒｓ，Ｎｏｒｔｈ  Ａｍｅｒｉｃａｎ  Ｅｄｉｔｉｏｎ，ＭｃＣｕｔｈｅｏｎ  Ｄｉｖｉｓｉｏｎ，ＭＣ  Ｐｕｂｌｉｓｈｉｎｇ  Ｃｏ．，Ｇｌｅｎ  Ｒｏｃｋ，ＮＪ４０７４５２およびＣＴＦＡ  Ｉｎｔｅｒｎａｔｉｏｎａｌ  Ｃｏｓｍｅｔｉｃ  Ｉｎｇｒｅｄｉｅｎｔ  Ｈａｎｄｂｏｏｋ（Ｃｏｓｍｅｔｉｃ，Ｔｏｉｌｅｔｒｙ，ａｎｄ  Ｆｒａｇｒａｎｃｅ  Ａｓｓｏｃｉａｔｉｏｎ，Ｗａｓｈｉｎｇｔｏｎ，Ｄ．Ｃ．により刊行）から容易に確かめられ得る。
【００６５】
好ましくは、界面活性剤は、存在する場合、約０．０１〜約１５重量％の総量、好ましくは、約０．１〜約９．０重量％の総量、および最も好ましくは、約０．１〜約７．０重量％の総量で使用される。
【００６６】
本発明の説明として、いくつかの実施例が、以下に提供される。これらの実施例は、本発明の局面をさらに説明するためのみに働き、そして本発明を限定すると解釈されるべきではない。
【実施例】
【００６７】
（実施例１  試験溶液の調製）
試験のための多目的レンズケアサンプル溶液を、以下で表１に記載される処方に従って調製した。
【００６８】
【表１】
2005255976.tif 000003
【００６９】
（実施例２  試験溶液の調製）
試験のためのレンズ点眼サンプル溶液を、以下で表２に記載される処方に従って調製した。
【００７０】
【表２】
2005255976.tif 000004
【００７１】
（実施例３  試験溶液の洗浄効果）
いくつかの試験溶液の、脂質に対する洗浄効果を、脂質可溶化速度方法によって試験した。具体的には、Ｓｕｐｅｒ  Ｓｔｅｒｏｌ  ＥｓｔｅｒＴＭの商標でＣｒｏｄａ  Ｉｎｃｏｒｐｏｒａｔｅｄ，Ｐｒａｓｉｐｐａｎｙ，Ｎｅｗ  Ｊｅｒｓｅｙから入手可能な脂質（Ｃ１０〜３０コレステロール／ラノステロールエステル）およびＳｕｄａｎ  ＩＴＭの商標でＡｌｄｒｉｃｈ  Ｃｈｅｍｉｃａｌ  Ｃｏｍｐａｎｙ，Ｍｉｌｗａｕｋｅｅ，Ｗｉｓｃｏｎｓｉｎから入手可能な色素材料を使用して、いくつかの試験溶液の脂質洗浄効力を決定する際に使用される脂質溶液を生成した。この脂質溶液を、９．９ｇのＳｕｐｅｒ  Ｓｔｅｒｏｌ  Ｅｓｔｅｒを融解するまで加熱することによって、生成した。一旦、融解したら、０．１ｇのＳｕｄａｎ Ｉを添加し、よく混合した。この混合物は、室温において均一な赤色鑞であり、これは、わずかに加熱すると液化した。ガラス試験管内に、５滴の液化脂質溶液を入れ、全ての液滴が一貫して収集されることを確認した。一旦、試験管内の脂質溶液が室温に冷却されたら、これらの試験管は、試験の準備ができていた。５ｍｌの試験溶液を、室温の脂質溶液を含有する試験管に添加し、そして室温で、１分間あたり１５０回転（ＲＰＭ）で２４時間攪拌した。各試験管から上清流体を収集し、そして４８５．５ｎｍにおける吸光度を、分光計（Ｓｈｉｍａｄｚｕ  Ｃｏｒｐｏｒａｔｉｏｎ，Ｋｙｏｔｏ，Ｊａｐａｎ）によって測定した。脂質の可溶化を、４８５．５ｎｍにおけるＳｕｄａｎ  Ｉの赤色の強度によって評価した。この強度が高いほど、この試験溶液は、脂質を可溶化する際により効果的である。試験結果を、以下で表３および表４に記載する。
【００７２】
【表３】
2005255976.tif 000005
【００７３】
【表４】
2005255976.tif 000006
【００７４】
本発明の組成物は、コンタクトレンズを浸漬するために使用され得、ここで、この水性組成物は、１８より大きいＨＬＢを有する２種の異なる非イオン性ポリエーテル界面活性剤を、上記のように２：１の比で、コンタクトレンズ上での脂質沈着物の形成を減少させるために有効な量で、含有する。
【００７５】
本発明の組成物はまた、コンタクトレンズをリンスまたは浸漬するために使用され得、ここで、この水性組成物は、１８より大きいＨＬＢを有する２種の異なる非イオン性ポリエーテル界面活性剤を、上記のように２：１の比で、コンタクトレンズの表面から脂質沈着物を除去するために有効な量で、含有する。
【００７６】
本発明の組成物を使用するなお別の方法は、コンタクトレンズが眼に着用されている間、コンタクトレンズへの脂質の沈着を防止する工程を包含する。この方法は、コンタクトレンズを水性組成物（この組成物は、１８より大きいＨＬＢを有する２種の異なる非イオン性ポリエーテル界面活性剤を、上記のように２：１の比で、コンタクトレンズ上での脂質沈着物の形成を減少させるために有効な量で、含有する）に浸漬する工程、およびこのコンタクトレンズを、この組成物をこのコンタクトレンズからリンスすることなく眼に挿入するか、またはこのコンタクトレンズを着用している間に１滴以上の組成物を眼に点眼して、眼に着用している間の、コンタクトレンズへの脂質の沈着を防止する工程を包含する。
【００７７】
種々の好ましい実施形態が記載されたが、本発明の多くの他の改変およびバリエーションが、当業者に可能である。従って、特許請求の範囲の範囲内で、本発明は、本明細書中で具体的に記載されたもの以外に実施され得ることが、理解される。
【図面の簡単な説明】
【００７８】
【図１】図１は、非イオン性ポリエーテル界面活性剤の濃度に対する脂質洗浄（４８５．５ｎｍにおける吸光度）のグラフである。
【図２】図２は、脂質洗浄（４８６ｎｍにおける吸光度）の効力に対する、Ｔｅｔｒｏｎｉｃ  １１０７ＴＭ対Ｐｌｕｒｏｎｉｃ  Ｆ１２７ＴＭの重量比の効果を示すグラフである。
【図１】
2005255976.tif 000007
【図２】
2005255976.tif 000008